(57)【特許請求の範囲】
【請求項１】
位置情報衛星から送信される衛星信号を受信する受信部と、
前記衛星信号の信号強度から受信状態レベルを算出する受信状態レベル算出部と、
前記受信状態レベル算出部で算出された受信状態レベルを表示する受信状態レベル表示部と、を備え、
前記衛星信号を受信して時刻修正処理を行う測時モードと、前記衛星信号を受信して得られる位置情報により時刻の時差修正を行う測位モードと、を選択可能に構成され、
前記受信状態レベル算出部は、前記位置情報衛星から受信した衛星信号を、信号強度の強い順に所定数選択し、その選択された衛星信号の信号強度から受信状態レベルを算出し、
前記受信状態レベル算出部が選択する所定数は、前記各モードに応じて変更する
ことを特徴とする電子時計。
【請求項２】
請求項１に記載の電子時計において、
前記受信状態レベル算出部は、前記所定数選択した衛星信号の信号強度の総和を、前記所定数で除算した値を受信状態レベルとして算出する
ことを特徴とする電子時計。
【請求項３】
位置情報衛星から送信される衛星信号を受信する受信部と、
前記衛星信号の信号強度から受信状態レベルを算出する受信状態レベル算出部と、
前記受信状態レベル算出部で算出された受信状態レベルを表示する受信状態レベル表示部と、を備え、
前記受信状態レベル算出部は、前記位置情報衛星から受信した衛星信号を、信号強度の強い順に所定数選択し、その選択された衛星信号の信号強度から受信状態レベルを算出し、
前記受信状態レベル算出部は、受信している衛星信号の数が、１つ以上でかつ前記所定数未満の場合は、前記所定数に対して不足している数の衛星信号の信号強度を、予め設定された仮定信号強度に設定して受信状態レベルを算出する
ことを特徴とする電子時計。
【請求項４】
請求項３に記載の電子時計において、
前記受信状態レベル算出部は、受信開始からの経過時間が長くなると、前記仮定信号強度を低下させて前記受信状態レベルを算出する
ことを特徴とする電子時計。
【請求項５】
位置情報衛星から送信される衛星信号を受信する受信部と、
前記衛星信号の信号強度から受信状態レベルを算出する受信状態レベル算出部と、
前記受信状態レベル算出部で算出された受信状態レベルを表示する受信状態レベル表示部と、を備え、
前記受信状態レベル算出部は、前記位置情報衛星から受信した衛星信号を、信号強度の強い順に所定数選択し、その選択された衛星信号の信号強度から受信状態レベルを算出し、
前記受信状態レベル算出部は、
前記受信した衛星信号の信号強度が、第１閾値以上の場合には前記信号強度を所定割合増加させる補正を行い、
前記受信した衛星信号の信号強度が、前記第１閾値未満であり、かつ、前記第１閾値よりも小さい値である第２閾値以上の場合には、前記信号強度を変更せずにそのまま用い、
前記受信した衛星信号の信号強度が、前記第２閾値未満の場合には前記信号強度を所定割合減少させる補正を行い、
これらの補正後の信号強度により受信状態レベルを算出する
ことを特徴とする電子時計。
【請求項６】
請求項１から請求項５のいずれかに記載の電子時計において、
時刻を指示する指針を備え、
前記受信状態レベル表示部は、前記指針を用いて受信状態レベルを表示する
ことを特徴とする電子時計。
【請求項７】
請求項６に記載の電子時計において、
秒を指示する秒針を備え、
前記受信状態レベル表示部は、前記秒針を用いて受信状態レベルを表示する
ことを特徴とする電子時計。
【発明の詳細な説明】
【技術分野】
【０００１】
本発明は、例えばＧＰＳ衛星などの位置情報衛星から送信される衛星信号を受信して現在の日付や時刻を求める電子時計に関する。
【背景技術】
【０００２】
ＧＰＳ（Global Positioning System）衛星等の位置情報衛星から送信される衛星信号を受信して現在の日付や時刻を求める電子時計において、受信状態レベルを表示するものが提案されている（特許文献１参照）。
【０００３】
この特許文献１では、受信状態レベルを０，１，２の３段階で表示し、時刻情報を取得する測時モードでは、捕捉できたＧＰＳ衛星の数が０個の場合には受信レベルを「０」とし、捕捉できたＧＰＳ衛星の数が１個以上であり、かつ、ＳＮＲが所定値以上のＧＰＳ衛星が含まれていない場合には受信レベルを「１」とし、ＳＮＲが所定値以上のＧＰＳ衛星を１個以上捕捉した場合には受信レベルを「２」としている。
【０００４】
また、位置情報を取得する測位モードでは、捕捉できたＧＰＳ衛星の数が３個以下の場合には受信レベルを「０」とし、捕捉できたＧＰＳ衛星の数が４個以上であるが、ＳＮＲが所定値以上のＧＰＳ衛星の数は３個以下の場合には受信レベルを「１」とし、ＳＮＲが所定値以上のＧＰＳ衛星を４個以上捕捉した場合には受信レベルを「２」としている。
このように３段階のレベル表示であるため、ＧＰＳの仕組みを十分に理解していない一般的な利用者でも、受信状態を容易に判断できるものであった。
【先行技術文献】
【特許文献】
【０００５】
【特許文献１】特開２００９−１８０５５５号公報
【発明の概要】
【発明が解決しようとする課題】
【０００６】
しかしながら、受信レベル表示が３段階であるため、受信状態をより詳しく把握することが難しかった。例えば、測位モードで受信レベルが「０」の場合、ＧＰＳ衛星を３個捕捉している状態なのか、あるいはまったく受信できない環境なのかの区別ができない。
そして、３個捕捉できている場合は、４個目を捕捉できる可能性が高いので、そのまま受信を継続することが好ましい。一方、１個も受信できていない場合は、受信を継続しても情報を取得できる可能性が低いので、即座に受信を中止して電力消費を抑えることが好ましい。このように、受信レベルが「０」で同じ場合でも、状況によって対応を異ならせることが望ましいため、より詳細な受信状態を把握できることが求められるようになった。
【０００７】
本発明は、受信状態を詳細に把握することができ、精度の高い受信状態表示を実現できる電子時計を提供することを目的とする。
【課題を解決するための手段】
【０００８】
本発明の電子時計は、位置情報衛星から送信される衛星信号を受信する受信部と、前記衛星信号の信号強度から受信状態レベルを算出する受信状態レベル算出部と、前記受信状態レベル算出部で算出された受信状態レベルを表示する受信状態レベル表示部と、を備え、前記受信状態レベル算出部は、前記位置情報衛星から受信した衛星信号を、信号強度の強い順に所定数選択し、その選択された衛星信号の信号強度から受信状態レベルを算出することを特徴とする。
【０００９】
本発明では、受信状態レベル算出部は、信号強度の強い順に所定数の衛星信号を選択し、その選択された衛星信号の信号強度から受信状態レベルを算出している。このように、受信状態レベルを算出するための衛星信号数を前記所定数として設定しているので、測時モードや測位モードで必要な情報を取得するための受信状態を適切に表示できる。
例えば、前記衛星信号から時刻情報を取得する測時モードでは、前記所定数は「１」とされ、信号強度の最も高い衛星信号を選択し、その信号強度から受信状態レベルを算出する。また、前記衛星信号から位置情報を取得する測位モードでは前記所定数は「４」とされ、信号強度の高い順に４つの衛星信号を選択し、それらの信号強度から平均値を求めることなどで受信状態レベルを算出する。
このため、本発明では、例えば、測時モードでは、信号強度が最も高い衛星信号の信号強度を受信状態レベルとして表示できるので、特許文献１のように閾値以上か未満かでレベル表示を「１」、「２」の２種類で表示する場合に比べて、より詳細な受信状態を表示できる。
同様に、測位モードにおいても、信号強度が高い４つの衛星信号の信号強度を平均することなどで受信状態レベルを表示できるので、衛星信号を１個も受信できない場合と、３個受信できた場合とで異なる受信状態レベルを表示できる。このため、電子時計のユーザーは、受信状態をより正確に把握することができる。
【００１０】
本発明の電子時計において、前記受信状態レベル算出部は、前記所定数選択した衛星信号の信号強度の総和を、前記所定数で除算した値を受信状態レベルとして算出することが好ましい。
【００１１】
本発明では、受信状態レベル算出部は、選択した所定数の信号強度の総和を所定数で除算した値、つまり所定数の信号強度の平均値を受信状態レベルとして算出する。
例えば、測位モードにおいて、信号強度が高い順に所定数として４つの衛星信号を選択する場合でその信号強度が「４３、４２、４１、４０」の場合、これらの信号強度の平均は（４３＋４２＋４１＋４０）／４＝４１．５であり、四捨五入すれば「４２」になる。一方、信号強度が高い順に、「４５、４５、４５、０」の場合、つまり３個の衛星信号のみを受信している場合、これらの信号強度の平均は（４５＋４５＋４５＋０）／４＝３３．７５≒３４になる。また、信号強度が高い順に、「３６、３６、３５、３５」の場合、これらの信号強度の平均は（３６＋３６＋３５＋３５）／４＝３５．５≒３６になる。また、信号強度が高い順に、「０、０、０、０」の場合、つまり１個の衛星信号も受信できない場合、これらの信号強度の平均も０になる。
従って、４つの衛星信号の受信が必要な測位モードにおいて、信号強度が４つとも４０以上と高い場合、受信状態レベルも４０以上の高い値になり、その数値を表示することでユーザーも受信環境が良好であることを容易に把握できる。
一方、信号強度が４０以上と高い衛星信号を３個しか受信できなかった場合、受信状態レベルは３０〜３５程度になる。従来の特許文献１では、この場合、衛星信号を１つも受信できなかった場合と同じレベル「０」を表示するため、ユーザーが受信状態をより正確に把握することができなった。
これに対し、本発明では、３個の衛星信号を受信している場合と、１つも受信できていない場合とで、受信状態レベルを明確に区別でき、ユーザーは受信状態を正確に把握できる。
【００１２】
本発明の電子時計において、前記衛星信号を受信して時刻修正処理を行う測時モードと、前記衛星信号を受信して得られる位置情報により時刻の時差修正を行う測位モードと、を選択可能に構成され、前記受信状態レベル算出部が選択する所定数は、前記各モードに応じて変更することが好ましい。
【００１３】
本発明では、測位モードでは現在地の位置情報を正しく取得するには、４個の位置情報衛星からの衛星信号を取得する必要がある。従って、受信状態レベル表示部で選択する所定数も「４」に設定すればよい。
一方、測時モードでは１つの位置情報衛星からの衛星信号を取得すればよいため、受信状態レベル表示部で選択する所定数も「１」に設定すればよい。
このように測時・測位の受信モードに応じて衛星信号を選択する所定数を変更すれば、各モードに適した受信状態レベルを表示できる。
【００１４】
本発明の電子時計において、前記受信状態レベル算出部は、受信している衛星信号の数が、１つ以上でかつ前記所定数未満の場合は、前記所定数に対して不足している数の衛星信号の信号強度を、予め設定された仮定信号強度に設定して受信状態レベルを算出することが好ましい。
【００１５】
ここで、仮定信号強度は、実際に受信していない衛星信号を、そのまま受信を継続した場合に受信できる確度などを考慮して設定すればよい。例えば、信号強度が４０程度の衛星信号を受信できる確率が５０％程度であれば、仮定信号強度は４０×５０％＝２０などに設定すればよい。また、仮定信号強度は、不足数に応じて変更しても良い。例えば、仮定信号強度は、不足数が１つの場合に「２０」とし、不足数が２つの場合に「１６」とし、不足数が３つの場合に「１２」とすればよい。不足数が多くなると、受信できる確度も低くなるため、仮定信号強度も低く設定することが実態に即しているためである。
【００１６】
本発明では、所定数に不足している数の衛星信号の信号強度を、仮定信号強度に設定して受信状態レベルを算出しているので、受信していない衛星信号の信号強度を「０」のままで受信状態レベルを算出する場合に比べて、より受信の確度に適した受信状態レベルを算出することができる。
【００１７】
本発明の電子時計において、前記受信状態レベル算出部は、受信開始からの経過時間が長くなると、前記仮定信号強度を低下させて前記受信状態レベルを算出することが好ましい。
【００１８】
不足分の衛星信号を受信できる確度は、受信開始からの経過時間が長くなるにつれて低下する。従って、前記仮定信号強度を経過時間が長くなるにつれて低下させることで、現実の受信の確度にあった受信状態レベルを算出することができる。
【００１９】
本発明の電子時計において、前記受信状態レベル算出部は、前記受信した衛星信号の信号強度が、第１閾値以上の場合には前記信号強度を所定割合増加させる補正を行い、前記受信した衛星信号の信号強度が、前記第１閾値未満であり、かつ、前記第１閾値よりも小さい値である第２閾値以上の場合には、前記信号強度を変更せずにそのまま用い、前記受信した衛星信号の信号強度が、前記第２閾値未満の場合には前記信号強度を所定割合減少させる補正を行い、これらの補正後の信号強度により受信状態レベルを算出することが好ましい。
【００２０】
本発明によれば、信号強度が第１閾値よりも高い場合には受信状態レベルをより高い値に補正でき、信号強度が第２閾値未満の場合には受信状態レベルをより低い値に補正できる。このため、情報取得の可能性が高い場合はより高く、低い場合はより低く強調して受信状態レベルを表示できるので、ユーザーに対して情報を受信できる状態であるのか否かをより分かりやすく表示できる。
【００２１】
本発明の電子時計において、時刻を指示する指針を備え、前記受信状態レベル表示部は、前記指針を用いて受信状態レベルを表示することが好ましい。
【００２２】
本発明によれば、受信状態レベルを時刻指示用の指針を利用しているので、受信状態レベルを表示するための特別な機構やディスプレイ等を不要にできる。このため、電子時計の部品点数を少なくできてコストも低減できるとともに、電子時計のデザインをシンプルにできて意匠性も向上できる。
【００２３】
本発明の電子時計において、秒を指示する秒針を備え、前記受信状態レベル表示部は、前記秒針を用いて受信状態レベルを表示することが好ましい。
【００２４】
本発明によれば、秒針を用いて受信状態レベルを表示するため、受信状態レベルをリアルタイムに指示できる。すなわち、秒針は、１秒間隔でステップ運針するため、受信状態レベルを１秒間隔で指示することも容易に実現できる。さらに、時針や分針に比べて、秒針は細く軽量であるため、受信状態レベルの変化で往復移動させることも容易に制御でき、受信状態レベルをレスポンス良く表示できる。
【図面の簡単な説明】
【００２５】
【図１】本発明の電子時計であるＧＰＳ付き腕時計の平面図である。
【図２】ＧＰＳ付き腕時計の概略断面図である。
【図３】ＧＰＳ付き腕時計の回路構成を示すブロック図である。
【図４】ＧＰＳ付き腕時計の記憶部の構成を示すブロック図である。
【図５】第一実施形態の時刻修正処理を示すフローチャートである。
【図６】第一実施形態の受信状態レベルの指示例を示す図である。
【発明を実施するための形態】
【００２６】
［第一実施形態］
以下、本発明の第一実施形態を、添付図面などを参照しながら詳細に説明する。
［電子時計の構造］
本発明の第一実施形態に係る電子時計であるＧＰＳ付き腕時計１は、図１に示すように、文字板１１および指針１２を備え、時刻を計時して表示する腕時計である。
文字板１１の大部分は、光および１．５ＧＨｚ帯のマイクロ波が透過し易い非金属の材料（例えば、プラスチックまたはガラス）で形成されている。
指針１２は、文字板１１の表面側に設けられている。また、指針１２は、回転軸１３を中心に回転移動する秒針１２１、分針１２２および時針１２３を含み、歯車を介してステップモーターで駆動される。
【００２７】
ＧＰＳ付き腕時計１では、リューズ１４やボタン１５、ボタン１６の手動操作に応じた処理が実行される。具体的には、リューズ１４が操作されると、その操作に応じて表示時刻を修正する手動修正処理が実行される。
また、ボタン１６が押されると、ボタンを押す毎に、受信モードを、測時モード、測位モード、自動受信無効モード（自動受信ＯＦＦモード）に順次切り替える切替処理が実行される。
この際、自動受信ＯＦＦモードに設定された場合には、図１に示すように、秒針１２１が「Ｏｆｆ」の位置（５０秒位置）に移動し、測時モードに設定された場合には、図６（Ａ）に示すように、秒針１２１が「Ｔｉｍｅ」の位置（５秒位置）に移動し、測位モードに設定された場合には、図６（Ｂ）に示すように、秒針１２１が「Ｆｉｘ」の位置（１０秒位置）に移動する。このため、利用者は設定された受信モードを容易に確認できる。
【００２８】
また、ボタン１５が数秒（例えば３秒）以上押されると、ＧＰＳ付き腕時計１は衛星信号を受信するための受信処理を実行する。
なお、本実施形態では、ボタン１５を押して受信する強制受信処理と、後述するソーラーセル２２の発電レベル（開放電圧等）が所定値以上の場合に自動で受信する自動受信処理を実施可能にされている。
【００２９】
図２に示すように、ＧＰＳ付き腕時計１は、ステンレス鋼（ＳＵＳ）やチタンなどの金属で構成された外装ケース１７を備えている。外装ケース１７は、略円筒状に形成されている。外装ケース１７の表面側の開口には、ベゼル１８を介して表面ガラス１９が取り付けられている。ベゼル１８は、衛星信号の受信性能を向上させるためにセラミックスなどの非金属材料で構成される。外装ケース１７の裏面側の開口には、裏蓋２０が取り付けられている。外装ケース１７の内部には、ムーブメント２１、ソーラーセル２２、ＧＰＳアンテナ２３、二次電池２４などが配置されている。
【００３０】
ムーブメント２１は、ステップモーターや輪列２１１を含んで構成されている。ステップモーターは、モーターコイル２１２、ステーター、ローターなどで構成されており、輪列２１１や回転軸１３を介して指針１２を駆動する。ムーブメント２１の裏蓋２０側には、回路基板２５が配置されている。回路基板２５は、コネクター２６を介してアンテナ基板２７および二次電池２４と接続されている。
【００３１】
回路基板２５には、ＧＰＳアンテナ２３で受信した衛星信号を処理する受信回路を含むＧＰＳ受信回路３０、ステップモーターの駆動制御などの各種の制御を行う制御回路４０などが取り付けられている。ＧＰＳ受信回路３０や制御回路４０は、シールド板２９に覆われており、二次電池２４から供給される電力で駆動される。
【００３２】
ソーラーセル２２は、光エネルギーを電気エネルギーに変換する光発電を行う光発電素子である。ソーラーセル２２は、発生した電力を出力するための電極を備え、文字板１１の裏面側に配置されている。文字板１１の大部分は、光が透過し易い材料で形成されているから、ソーラーセル２２は、表面ガラス１９および文字板１１を透過した光を受光して光発電を行うことができる。
【００３３】
二次電池２４は、ＧＰＳ付き腕時計１の電源であり、ソーラーセル２２で発生した電力を蓄積する。ＧＰＳ付き腕時計１では、ソーラーセル２２の二つの電極と二次電池２４の二つの電極とをそれぞれ電気的に接続することが可能であり、接続時には、ソーラーセル２２の光発電によって二次電池２４が充電される。なお、本実施形態では、二次電池２４として、携帯機器に好適なリチウムイオン電池を用いているが、リチウムポリマー電池や他の二次電池を用いてもよいし、二次電池とは異なる蓄電体（例えば容量素子）を用いてもよい。
【００３４】
ＧＰＳアンテナ２３は、１．５ＧＨｚ帯のマイクロ波を受信するアンテナであり、文字板１１の裏面側に配置され、裏蓋２０側のアンテナ基板２７上に実装されている。文字板１１に直交する方向において、ＧＰＳアンテナ２３と重なる文字板１１の部分は、１．５ＧＨｚ帯のマイクロ波が透過し易い材料（例えば、導電率および透磁性の低い非金属の材料）で形成されている。また、ＧＰＳアンテナ２３と文字板１１との間には電極を備えたソーラーセル２２が介在しない。よって、ＧＰＳアンテナ２３は、表面ガラス１９および文字板１１を透過した衛星信号を受信することができる。
【００３５】
ところで、ＧＰＳアンテナ２３とソーラーセル２２の距離が近いほど、ＧＰＳアンテナ２３とソーラーセル２２内の金属部材が電気的に結合してロスが発生したり、ＧＰＳアンテナ２３の放射パターンがソーラーセル２２に遮られて小さくなったりする。そのため、受信性能が劣化しないように、実施形態では、ＧＰＳアンテナ２３とソーラーセル２２との距離が所定値以上になるように配置されている。
【００３６】
また、ＧＰＳアンテナ２３は、ソーラーセル２２以外の金属部材との距離も所定値以上となるように配置されている。例えば、外装ケース１７やムーブメント２１が金属部材で構成されている場合、ＧＰＳアンテナ２３は、外装ケース１７との距離およびムーブメント２１との距離がともに所定値以上になるように配置される。なお、ＧＰＳアンテナ２３としては、パッチアンテナ（マイクロストリップアンテナ）、ヘリカルアンテナ、チップアンテナ、逆Ｆアンテナなどを採用可能である。
【００３７】
ＧＰＳ受信回路３０は、二次電池２４に蓄積された電力で駆動される負荷であり、各回の駆動毎に、ＧＰＳアンテナ２３を通じてＧＰＳ衛星からの衛星信号の受信を試み、受信に成功した場合には、取得した軌道情報やＧＰＳ時刻情報などの情報を制御回路４０へ送信し、失敗した場合には、その旨の情報を制御回路４０へ送信する。
【００３８】
図３は、ＧＰＳ付き腕時計１の回路構成を示すブロック図である。この図に示すように、ＧＰＳ付き腕時計１は、ソーラーセル２２と、ＧＰＳアンテナ２３と、受信回路としてのＧＰＳ受信回路３０と、制御回路４０と、記憶部５０と、時計部６０と、外部操作部７０と、発電量検出回路８０とを備えている。
ＧＰＳ受信回路３０は、図示を略すが、主にＲＦ（Radio Frequency：無線周波数）部
と、ＧＰＳ信号処理部を含んで構成されている。ＲＦ部とＧＰＳ信号処理部は、１．５ＧＨｚ帯の衛星信号から航法メッセージに含まれる軌道情報やＧＰＳ時刻などの衛星情報を取得する処理を行う。
【００３９】
ＲＦ部は、高周波信号を中間周波数帯の信号に変換するダウンコンバーターや、その中間周波数帯のアナログ信号をデジタル信号に変換するＡ／Ｄコンバーターなどを備えたＧＰＳ受信機における一般的なものである。
【００４０】
ＧＰＳ信号処理部は、図示を略すがＤＳＰ（Digital Signal Processor）、ＣＰＵ（Central Processing Unit）、ＳＲＡＭ（Static Random Access Memory）、ＲＴＣ（リアルタイムクロック）などを含んで構成され、ＲＦ部から出力されるデジタル信号（中間周波数帯の信号）から航法メッセージを復調し、航法メッセージに含まれる軌道情報やＧＰＳ時刻などの衛星情報を取得する処理を行う。
従って、本実施形態では、ＧＰＳアンテナ２３およびＧＰＳ受信回路３０によって、ＧＰＳ衛星から送信される衛星信号を受信する受信部が構成されている。
【００４１】
制御回路４０は、ＧＰＳ付き腕時計１を制御するためのＣＰＵで構成されている。この制御回路４０は、後述するように、ＧＰＳ受信回路３０を制御して受信処理を実行する。また、制御回路４０は、時計部６０の動作を制御する。
【００４２】
この制御回路４０は、図３に示すように、時刻情報生成部４１と、受信制御部４２と、自動受信設定部４３と、受信モード設定部４４と、時刻情報修正部４５と、発電量検出制御部４６と、受信状態レベル算出部４７と、受信状態レベル表示部４８とを備える。
また、記憶部５０は、図４に示すように、時刻データ記憶部５００と、都市名−タイムゾーンデータ記憶部５５０とを備える。
これらの制御回路４０および記憶部５０の各構成は、後述する。
【００４３】
時計部６０は、指針１２およびこの指針１２を駆動するモーターなどを備える。
外部操作部７０は、リューズ１４、ボタン１５およびボタン１６を備える。ボタン１６の入力操作に応じて、受信モードを測時モード、測位モード、自動受信ＯＦＦモードを切り替える信号を制御回路４０の自動受信設定部４３に入力する。また、ボタン１５の入力操作に応じて、受信を開始する信号を制御回路４０の受信制御部４２に入力する。
発電量検出回路８０は、ソーラーセル２２の発電量（発電電圧）を検出し、その検出値を制御回路４０の発電量検出制御部４６に入力する。
【００４４】
［記憶部の構成］
記憶部５０は、前記ＧＰＳ受信回路３０で得られた時刻データ（衛星時刻情報）が記憶される。
時刻データ記憶部５００には、受信時刻データ５１０と、内部時刻データ５２０と、時計表示用時刻データ５３０と、タイムゾーンデータ５４０とが記憶される。
【００４５】
受信時刻データ５１０には、衛星信号から取得した衛星時刻情報（ＧＰＳ時刻）が記憶される。この受信時刻データは、通常は、時刻情報生成部４１によって生成される基準信号で更新され、衛星信号を受信した際には、取得した衛星時刻情報（ＧＰＳ時刻）によって修正される。
【００４６】
内部時刻データ５２０には、内部時刻情報が記憶される。この内部時刻情報は、受信時刻データ５１０に記憶されたＧＰＳ時刻によって更新される。すなわち、内部時刻データ５２０には、ＵＴＣ（協定世界時）が記憶されることになる。受信時刻データ５１０が時刻情報生成部４１によって生成される基準信号で更新される際に、この内部時刻情報も更新される。
【００４７】
時計表示用時刻データ５３０には、前記内部時刻データ５２０の内部時刻情報に、タイムゾーンデータ５４０のタイムゾーンデータを加味した時刻データが記憶される。タイムゾーンデータ５４０は、設定されたタイムゾーンデータが記憶される。
【００４８】
都市名−タイムゾーンデータ記憶部５５０は、各都市のタイムゾーンデータが記憶されており、都市名とタイムゾーンデータとが関連付けされて記憶されている。すなわち、ユーザーが現地時刻を知りたい都市名を選択すると制御回路４０は、都市名−タイムゾーンデータ記憶部５５０に対してユーザーが設定した都市名を検索し、その都市名に対応するタイムゾーンデータを取得できるようにされている。例えば、日本標準時は、ＵＴＣに対して９時間進めた時刻（ＵＴＣ＋９）であるため、東京が選択された場合、タイムゾーンデータ５４０には、＋９時間が記憶される。
【００４９】
内部時刻修正記録記憶部５６０には、受信時刻データ５１０の衛星時刻情報、この受信時刻データ５１０に連動して更新される内部時刻データ５２０の内部時刻情報と、測位モードでの受信が成功したか否かを示す第１受信結果記録と、測時モードでの受信が成功したか否かを示す第２受信結果記録とが記憶される。
【００５０】
［制御回路の構成］
次に、制御回路４０の各構成を説明する。 
時刻情報生成部４１は、図示しない水晶振動子、発振回路で生成される基準信号をカウントして受信時刻データ５１０および内部時刻データ５２０を更新するものである。
受信制御部４２は、ＧＰＳ受信回路３０を制御してＧＰＳ信号の受信処理を行う。
【００５１】
自動受信設定部４３は、ボタン１６の操作によって、測時モード、測位モード、自動受信ＯＦＦモードのうちのいずれかに設定する。
なお、本実施形態では、自動受信ＯＦＦモード以外に設定されている場合、発電量検出制御部４６で閾値以上の発電量を検出すると、設定されたモード（測時または測位）で自動的に受信処理が行われる。ただし、この自動受信処理の実行回数は、例えば１日に１回などに制限されている。受信処理によって電池電圧が低下してしまうことを防止するためである。
なお、自動受信処理は、予め設定された時刻に設定されたモードで受信処理するものでもよい。
【００５２】
受信モード設定部４４は、受信モードを測時モードおよび測位モードのうちのいずれかに設定できる。そして、前記自動受信時や、ボタン１５を押して行う強制受信処理時には、設定されたモードで受信処理が行われる。
【００５３】
時刻情報修正部４５は、受信したＧＰＳ信号の位置情報および時刻情報に基づいて前記受信時刻データ５１０および内部時刻データ５２０を修正するものであり、測位情報修正手段４５１と、測時情報修正手段４５２とを備える。
【００５４】
測位情報修正手段４５１は、受信制御部４２を介してＧＰＳ受信回路３０を側位モードで制御して受信した位置情報および時刻情報に基づいて受信時刻データ５１０を修正する。すなわち、この位置情報で、都市名−タイムゾーンデータ記憶部５５０を参照して、タイムゾーンデータ５４０を修正する。また、この時刻情報で受信時刻データ５１０を修正する。同時に、受信時刻データ５１０を用いて内部時刻データ５２０も修正される。
測時情報修正手段４５２は、受信制御部４２を介してＧＰＳ受信回路３０を側時モードで制御して受信したＧＰＳ信号に含まれる時刻情報に基づいて受信時刻データ５１０を修正する。すなわち、この時刻情報で受信時刻データ５１０を修正する。同時に、受信時刻データ５１０を用いて内部時刻データ５２０も修正される。
【００５５】
発電量検出制御部４６は、発電量検出回路８０を作動させてソーラーセル２２の発電量（発電電圧）を検出し、発電量検出回路８０から検出値を取得する処理を行う。これにより、前述の自動受信処理の開始が判断される。
【００５６】
受信状態レベル算出部４７は、後述するように、受信した衛星信号の信号強度から受信状態レベルを算出する処理を行う。
受信状態レベル表示部４８は、後述するように、受信状態レベル算出部４７で算出した受信状態レベルを、秒針１２１を用いて表示する処理を行う。
【００５７】
［制御回路の動作］
次に、ＧＰＳ付き腕時計１における制御回路４０の動作について、図５のフローチャートを参照して説明する。
【００５８】
ＧＰＳ付き腕時計１は、例えば以下の（i）、（ii）のような場合に、図５に示す受信処理を開始する。
（i）ボタン１６によって、測時モードまたは測位モードが設定された状態で、ボタン１５が数秒以上押されて強制受信処理の指示がユーザー操作によって行われた場合。
（ii）ボタン１６によって、測時モードまたは測位モードが設定された状態で、発電量検出回路８０で検出された発電量が閾値以上であった場合。
なお、上記以外にも、測時モードまたは測位モードが設定された状態で、予め設定された時刻になった場合に受信処理を開始してもよい。
【００５９】
なお、前記発電量と比較する閾値は、電子時計が屋外に配置されているか否かを判定できるよう適宜設定すればよい。例えば、蛍光灯下においてソーラーセル２２に照射された場合の光の照度は通常５００〜１０００ルクスであるのに対し、直射日光がソーラーセル２２に照射された場合の光の照度は通常１００００ルクスを超える。そこで、ソーラーセル２２に１００００ルクスの光を当てた場合に対応する発電量を、閾値として規定している。
【００６０】
受信処理が実行されると、制御回路４０の受信制御部４２は、ＧＰＳ受信回路３０を制御して受信処理を開始する（Ｓ１）。すると、ＧＰＳ受信回路３０は、衛星の検索処理（サーチ処理）を開始する（Ｓ２）。
次に、受信状態レベル算出部４７は、受信モード設定部４４で設定された受信モードが測位モードであるかを判定する（Ｓ３）。
そして、測位モードの場合（Ｓ３でＹｅｓ）、受信状態レベル算出部４７は信号強度の上位４つの衛星信号を選択する（Ｓ４）。一方、測時モードの場合（Ｓ３でＮｏ）、受信状態レベル算出部４７は信号強度の上位１つの衛星信号を選択する（Ｓ５）。なお、本実施形態において信号強度はＳＮＲ（Ｓ／Ｎ比）の値である。
【００６１】
次に、受信状態レベル算出部４７は、選択された衛星信号の信号強度から受信状態レベルを算出する（Ｓ６）。この受信状態レベルの算出方法の具体例を表１に基づいて説明する。なお、本実施形態のＧＰＳ受信回路３０は、８個の衛星信号を同時に捕捉、受信できるように８チャンネルの受信回路を備えている。
【００６２】
【表１】
0005817343.tif 000002
【００６３】
表１に示すように、ケース１、２では、８個の衛星信号を受信しており、信号強度の高い順に並べている。一方、ケース３では、３個の衛星信号しか受信できていない。
受信モードが測時モードの場合、受信状態レベル算出部４７は、上位１個の衛星信号を選択し（Ｓ５）、その信号強度をそのまま受信状態レベルとして算出する（Ｓ６）。このため、受信状態レベルは、ケース１では「４３」、ケース２では「４５」、ケース３では「４５」となる。
【００６４】
一方、受信モードが測位モードの場合、受信状態レベル算出部４７は、上位４個の衛星信号を選択し（Ｓ４）、その信号強度の平均値を受信状態レベルとして算出する（Ｓ６）。このため、受信状態レベルは、ケース１では（４３＋４２＋４１＋４０）／４＝４１．５であり、四捨五入して「４２」としている。なお、本実施形態では、信号強度は小数点以下を四捨五入して求めている。同様に算出するとケース２では「４５」となる。また、ケース３では（４５＋４５＋４５＋０）／４＝３３．７５であり、四捨五入して「３４」としている。
【００６５】
次に、受信状態レベル表示部４８は、算出した受信状態レベルを、秒針１２１により表示する（Ｓ７）。受信状態レベル表示部４８は、受信状態レベルが３０以下の場合は、受信に適さない状態（信号強度がＬ）であるため、図６（Ｃ）に示すように、秒針１２１を４０秒位置に移動する。また、受信状態レベルが５０以上の場合は、図６（Ｆ）に示すように、秒針１２１を０秒位置に移動する。
さらに、受信状態レベルが３０〜５０の場合は、秒針位置を受信状態レベルの数値に１０を加算した位置とする。例えば、受信状態レベル表示部４８は、図６（Ｄ）に示すように、受信状態レベルが４３の場合は秒針１２１を５３秒位置に移動し、図６（Ｅ）に示すように、受信状態レベルが３９の場合は秒針１２１を４９秒位置に移動する。
【００６６】
そして、受信状態レベル算出部４７は、情報の取得が完了したか否かを判定し（Ｓ８）、取得が完了していない場合（Ｓ８でＮｏ）はタイムアウトになったか否かを判定する（Ｓ９）。
ここで、Ｓ９のタイムアウト判定処理を設けているのは、時刻情報や位置情報を取得できずにタイムアウト時間以上経過した場合は、それ以上受信を継続しても情報を取得できる可能性が低いため、受信を終了して電力消費を抑えるためである。
このタイムアウト時間は、受信モードに応じて設定される。すなわち、測時モードに比べて測位モードのほうが、信号の受信処理やデコード処理に時間が掛かるため、設定時間も長く設定される。例えば、タイムアウト時間は、受信を開始してから受信終了までの時間として設定され、測時モードのタイムアウト時間は例えば２０〜６０秒の範囲で設定され、測位モードのタイムアウト時間は例えば６０〜１８０秒の範囲で設定される。
【００６７】
Ｓ９でＮｏと判定された場合、受信状態レベル算出部４７、受信状態レベル表示部４８は、Ｓ３〜Ｓ７の処理を繰り返す。具体的には、受信状態レベル算出部４７はＧＰＳ受信回路３０から１秒間隔で信号強度のデータを取得し、受信状態レベルを算出して表示する。従って、受信中、受信状態レベル表示部４８は、１秒毎に秒針１２１を移動して受信状態レベルをリアルタイムに表示する。
この際、秒針１２１は４０秒〜０秒の範囲で移動し、０秒に近づくほど信号強度が高く、情報を取得できる確率も高いことが分かる。
【００６８】
情報の取得が完了してＳ８でＹｅｓと判定されると、時刻情報修正部４５は受信した情報に基づいて内部時刻を修正し（Ｓ１０）、受信を終了する（Ｓ１１）。
また、タイムアウト時間を超えてＳ９でＹｅｓと判定されると、内部時刻を修正することなく受信を終了する（Ｓ１１）。
【００６９】
ここで、測時モードで時刻情報の取得が完了した場合、測時情報修正手段４５２は、ＧＰＳ受信回路３０にて受信した時刻情報に基づいて、受信時刻データ５１０を修正し、この受信時刻データ５１０を用いて内部時刻データ５２０を修正する（Ｓ１０）。そして、内部時刻データ５２０およびタイムゾーンデータ５４０に基づいて、時計表示用時刻データ５３０を修正する。時計部６０は、時計表示用時刻データ５３０の時刻を指示するように、指針１２を駆動する。その後、時刻修正処理を終了する。
【００７０】
一方、測位モードで位置情報および時刻情報の取得が完了した場合、測位情報修正手段４５１は、都市名−タイムゾーンデータ記憶部５５０を参照して、ＧＰＳ受信回路３０にて受信した位置情報に基づいて、ＵＴＣに対する時差を特定し、タイムゾーンデータ５４０を修正する。さらに、測位情報修正手段４５１は、ＧＰＳ受信回路３０にて受信した時刻情報に基づいて、受信時刻データ５１０を修正し、この受信時刻データ５１０を用いて内部時刻データ５２０を修正する。そして、内部時刻データ５２０およびタイムゾーンデータ５４０に基づいて、時計表示用時刻データ５３０を修正する。時計部６０は、時計表示用時刻データ５３０の時刻を指示するように、指針１２を駆動する。その後、時刻修正処理を終了する。
【００７１】
〔電子時計の作用効果〕
このような本実施形態によれば、次の効果が得られる。
受信状態レベル算出部４７は、信号強度の強い順に、受信モードに応じて設定される所定数の衛星信号を選択し、その選択された衛星信号の信号強度を平均して受信状態レベルを算出している。
このように、受信状態レベルを算出するための衛星信号数（所定数）を、測時モードおよび測位モード毎に設定しているので、本実施形態によれば、測時モードや測位モードで必要な情報を取得するための受信状態を適切に表示できる。
例えば、表１に示す比較例では、８チャンネルのすべての信号強度の平均値を求めており、ケース１では「３７」、ケース２では「３８」、ケース３では「１７」となる。この比較例の数値（単純平均）と、本実施形態による受信状態レベルとを比較すると、ケース１〜３のいずれの場合も、本実施形態のレベルが高い。そして、測時で１つ、測位で４つの衛星信号を受信すれば必要な情報が得られる点を考慮すれば、本実施形態による受信状態レベルのほうが、受信の確度にあったものを表示できる。
【００７２】
特に、測位モードにおいて、前記表１のケース３のように、比較的信号レベルが高い衛星信号を３個受信できている場合、時間経過に伴い４個目の衛星信号も受信できる可能性が高いことが、これまでの測定試験の統計的な結果から出ている。すなわち、３個の衛星信号を受信できている場合は、ＧＰＳ付き腕時計１が受信環境の良好な屋外に配置されており、たまたま４個目のＧＰＳ衛星の位置がビル等で隠れているだけであり、時間経過に伴いＧＰＳ付き腕時計１やＧＰＳ衛星が移動すれば受信できる可能性が高い。
ところが、従来の特許文献１では、この３個の衛星信号を受信している場合も、レベル０と１個も受信できていない場合と同じレベルで表示していた。このため、実際には、あと少し受信を継続すれば測位情報を取得できたのにもかかわらず、その時点で受信を中断してしまうことが多く、結果的に無駄な受信処理となる確率が高かった。
これに対し、本実施形態では、信号強度が高い３個の衛星信号を受信している場合は、１個も衛星信号を受信できていない場合に比べて受信状態レベルが高くなり、受信の確度にあった受信状態レベルを算出できる。このため、ユーザーも受信を中断することがないため、４個目の衛星信号を受信できて測位情報を取得できる可能性が高まり、測位情報が得られないまま受信を中断することを防止できる。
【００７３】
さらに、所定数の衛星信号における信号強度の平均値を受信状態レベルとして算出しているので、受信状態レベルを細分化することができる。このため、特許文献１のように３段階でレベル表示する場合に比べて、受信状態レベルをより精度良く算出して表示することができる。このため、ユーザーは、受信状態レベルを正しく把握でき、そのレベルに応じて受信を中断したり、より受信しやすい場所に移動したりすることができ、適切な対応を選択できる。このため、受信に失敗して無駄に電力を消費することを少なくでき、腕時計のような携帯型の電子時計において持続時間を長くできて利便性を向上できる。
【００７４】
本実施形態では、ボタン１５を押してＧＰＳ受信回路３０を作動させる強制受信処理の他、ソーラーセル２２の発電量が予め設定された閾値以上である場合にＧＰＳ受信回路３０が自動的に作動する自動受信処理も設定している。このように、ソーラーセル２２の発電量が閾値以上であることをＧＰＳ受信回路３０が自動的に作動する条件とすることで、ＧＰＳ付き腕時計１が屋外に配置されている場合など衛星信号を受信しやすい環境でＧＰＳ受信回路３０を作動させることができる。
【００７５】
受信状態レベル算出部４７は、受信処理中も１秒間隔で受信状態レベルを算出しているので、ユーザーはリアルタイムに受信状態レベルを把握できる。従って、ユーザーは、受信状態レベルを見ながら、より受信しやすい場所に移動するなどの適切な対応を取ることができる。従って、受信環境の良好な場所の検出も比較的容易に行うことができる。
【００７６】
秒針１２１を利用して受信状態レベルを表示しているので、受信状態レベルを表示するための特別な機構やディスプレイ等を不要にできる。このため、ＧＰＳ付き腕時計１の部品点数を少なくできてコストも低減できるとともに、時計のデザインをシンプルにできて意匠性も向上できる。
その上、秒針１２１を用いて受信状態レベルを表示するため、受信状態レベルをリアルタイムにかつレスポンス良く表示できる。
【００７７】
［第二実施形態］
次に、本発明の第二実施形態を図面に基づいて説明する。
なお、第二実施形態は、受信状態レベル算出部４７における受信状態レベルの算出方法が前記第一実施形態と相違するだけである。このため、ＧＰＳ付き腕時計１の構造や処理フローは前記第一実施形態と同様であるから、その詳細な説明は省略する。
【００７８】
第二実施形態の受信状態レベル算出部４７は、１個以上の衛星信号を受信しており、かつ、所定数に満たない場合に、不足分の衛星信号の信号強度を予め設定した仮定信号強度に設定して受信状態レベルを算出するものである。
なお、第二実施形態の処理は、１個以上の衛星信号を受信していることが条件である。このため、もともと所定数が１個である測時モードの場合、受信した衛星信号数が所定数に満たない状態は発生しない。従って、第二実施形態の処理は、測位モードの場合で、受信した衛星信号が１〜３個の場合に適用されることになる。表２に、第二実施形態における受信状態レベルの算出方法の具体例を示す。
【００７９】
【表２】
0005817343.tif 000003
【００８０】
第二実施形態では、不足している衛星信号の仮定信号強度を「２０，１６，１２」から選択し、受信状態レベルを算出する。
すなわち、前記表２におけるケース２−１のように、所定数が４個の衛星信号を受信する測位モードでは、受信している信号数が３個の場合、不足分、つまり受信できていない衛星信号の信号強度を、表２の括弧内に記載したように、設定値「２０」としている。このため、ケース２−１では、受信状態レベル算出部４７は、（４５＋４５＋４５＋２０）／４＝３８．７５であり、四捨五入して「３９」としている。
【００８１】
また、ケース２−２では２つの衛星信号しか受信できていないので、残りの２つ分の信号強度を「１６」として計算し、受信状態レベルとして「３１」を算出する。ケース２−３では１つの衛星信号しか受信できていないので、残りの３つ分の信号強度を「１２」として計算し、受信状態レベルとして「２０」を算出する。
なお、仮定信号強度を、不足分の衛星信号数が増えると減少させているのは、実際に受信していない衛星信号を、そのまま受信を継続した場合に受信できる確度などを考慮したためである。すなわち、３個の衛星信号を受信しており、残りが１つの場合は、そのまま受信を継続した場合に衛星信号を受信できる確度も比較的高い。このため、仮定信号強度も「２０」と受信できていない場合の信号強度「０」に比べて比較的高い値に設定した。
一方、不足している衛星信号の数が２個や３個と増加すると、これらの衛星信号を受信できる確度も低下する。このため、仮定信号強度も、不足衛星数が２個の場合は「１６」、３個の場合は「１２」と低下させている。
【００８２】
そして、受信状態レベル表示部４８は、受信状態レベル算出部４７で算出した受信状態レベルを、秒針１２１を用いて表示する。
なお、第二実施形態では、仮定信号強度を不足衛星数の数に応じて変化させていたが、同じ値に設定してもよい。また、仮定信号強度の値は固定値に限らず、受信できている衛星信号の信号強度の値を基準に設定してもよい。例えば、３個の衛星信号を受信している場合で、それらの信号強度の平均値が「４５」の場合に、その５０％の値である「２３」を仮定信号強度に設定してもよい。
【００８３】
このような第二実施形態においても、前記第一実施形態と同様の作用効果を奏することができる。
さらに、表２に示すように、測位モードにおいて受信した衛星信号数が３個以下であると、前記第一実施形態では受信状態レベルも大幅に低下する。このため、ユーザーによっては、そのまま受信を継続することが難しい印象を与えてしまい、受信を中断する可能性もある。
これに対し、第二実施形態では、受信できない衛星信号の仮定信号強度を設定値２０で補足しているので、第一実施形態の測位モードに比べて、受信状態レベル表示を高く表示できる。特に、３個や２個の衛星信号を受信している場合に、そのまま受信を継続することで測位情報が得られる確度にあった受信状態レベルを算出して表示できる。このため、受信状態レベル表示を見たユーザーも受信を継続する可能性が高くなり、測位情報が得られる確率も向上できる。
【００８４】
［第三実施形態］
次に、本発明の第三実施形態を図面に基づいて説明する。
なお、第三実施形態は、所定数に不足している衛星信号の信号強度を、所定の設定値で補足する点は第二実施形態と同じであるが、この設定値を受信経過時間に伴い、変更（減少）させる点が相違する。従って、この相違点について説明する。
【００８５】
第三実施形態の受信状態レベル算出部４７は、１個以上の衛星信号を受信しており、かつ、所定数に満たない場合に、不足分の衛星信号の仮定信号強度を予め設定した値で補正して受信状態レベルを算出する。さらに、前記仮定信号強度を、受信開始時は初期値「２０」に設定し、時間経過と共に仮定信号強度を段階的に下げている。具体的には、表３に示すように、５秒経過時には「１５」とし、１０秒経過時には「１０」とし、１５秒経過時には「５」とし、２０秒経過時には「０」としている。
【００８６】
【表３】
0005817343.tif 000004
【００８７】
表３に示すように、第三実施形態の受信状態レベル算出部４７は、所定数に不足している衛星信号の仮定信号強度を、受信からの経過時間によって変更している。本実施形態では５秒毎に５レベルずつ段階的に低下させている。
従って、受信状態レベル算出部４７で算出される受信状態レベルも、他の３個の信号強度が変化しなければ、５秒毎に低下する。実際の測定試験においても、不足分の衛星信号を受信できない時間が長くなると、情報を取得できる確度も低くなるため、このような時間経過で受信状態レベルが変化するように設定すれば、測位モードでの受信の実態に近づけることができる。従って、ユーザーに対してより適切な受信状態レベルを表示できる。
【００８８】
［第四実施形態］
次に、本発明の第四実施形態を図面に基づいて説明する。
第四実施形態は、受信状態レベル算出部４７において受信状態レベルを算出する場合に、受信した衛星信号の信号強度が、第１閾値以上の場合には信号強度を所定割合増加させる補正を行い、第２閾値（第１閾値よりも小さい値）未満の場合には前記信号強度を所定割合減少させる補正を行い、これらの補正後の信号強度により受信状態レベルを算出する点が前記各実施形態と相違する。
なお、受信状態レベル算出部４７は、受信した衛星信号の信号強度が第１閾値未満であり、かつ、第２閾値以上の場合には、信号強度を変更せずにそのまま用いて受信状態レベルを算出する。
【００８９】
受信状態レベル算出部４７は、具体的には、信号強度が第１閾値である４０以上の場合は、検出した信号強度を１０％増加して補正する。また、受信状態レベル算出部４７は、信号強度が第２閾値である３５未満の場合、検出した信号強度を１０％減少して補正する。さらに、受信状態レベル算出部４７は、信号強度が３５〜３９（第１閾値〜第２閾値）の場合、検出した信号強度をそのまま利用する。
そして、受信状態レベル算出部４７は、これらの補正した値を用いて受信状態レベルを算出する。この算出例を表４に示す。
【００９０】
【表４】
0005817343.tif 000005
【００９１】
表４において、単純平均は、衛星No.１〜８の実測値の平均値である。また、第１実施形態とは、衛星No.１〜８の実測値の上位４個の平均値である。さらに、第４実施形態とは、衛星No.１〜８の補正値の上位４個の平均値である。なお、いずれの平均値も小数点以下を四捨五入している。
表４に示すように、第四実施形態によれば、第一実施形態に比べて、信号強度の高い場合つまり測位情報を取得できる可能性が高い場合（ケース４−１，４−２，４−３）には、受信状態レベルをより高く算出することができる。一方、信号強度が低い場合つまり測位情報を取得できる可能性が低い場合（ケース４−５）には、受信状態レベルをより低く算出する。
なお、ケース４−４は、実測値が３５〜３９の範囲で補正値と変わらないため、第１、４実施形態のいずれも同じ受信状態レベルを算出する。
【００９２】
この第四実施形態によれば、信号強度が第１閾値よりも高い場合には受信状態レベルをより高い値に補正でき、信号強度が第２閾値未満の場合には受信状態レベルをより低い値に補正できるので、情報取得の可能性が高い場合はより高く、低い場合はより低く強調して受信状態レベルを表示できるので、ユーザーに対して情報を受信できる状態であるのか否かをより分かりやすく表示できる。
【００９３】
［他の実施形態］
なお、本発明は前記各実施形態の構成に限定されず、本発明の要旨の範囲内で種々の変形実施が可能である。
例えば、前記第４実施形態では、第１，２閾値の２つの閾値を設定し、第１閾値以上または第２閾値未満の場合に信号強度を補正していたが、３つ以上の閾値を設定してもよい。３つ以上の閾値を設定した場合には、各閾値に応じて信号強度の補正割合を異ならせればよい。例えば、信号強度の第１〜４閾値をそれぞれ４５、４０、３５、３０に設定し、信号強度が第１閾値（４５）以上の場合は、検出した信号強度を２０％増加して補正し、第１閾値未満、第２閾値（４０）以上の場合は、検出した信号強度を１０％増加して補正し、第２閾値未満、第３閾値（３５）以上の場合は、検出した信号強度をそのまま維持し、第３閾値未満、第４閾値（３０）以上の場合は、検出した信号強度を１０％減少して補正し、第４閾値未満の場合は、検出した信号強度を２０％減少して補正すればよい。そして、これらの補正した信号強度を用いて受信状態レベルを算出すればよい。
【００９４】
また、受信状態レベルの表示は秒針１２１を移動して表示するものに限らず、分針１２２を移動して表示してもよい。特に、時針１２３および分針１２２のみ有し、秒針１２１を備えない二針の時計においては、分針１２２を移動して受信状態レベルや受信結果を表示（指示）するようにすればよい。
【００９５】
また、受信状態レベルの表示方法としては、指針等の物理的に駆動されるものを用いるものに限らず、ＧＰＳ付き腕時計１に液晶ディスプレイ等の受信状態表示装置を設け、この受信状態表示装置に受信状態レベルを表示してもよい。
【００９６】
前記実施形態では、測位モードにおける所定数を「４」に設定していたが、精度の粗い測位測定でもよい場合には「３」に設定してもよい。また、通常は、測位モードの所定数は「４」に設定すればよいが、「５」以上に設定してもよい。
同様に、測時モードにおける所定数は「１」に設定していたが、「２」以上に設定してもよい。
【００９７】
さらに、前記第２，３実施形態と、第４実施形態とを組み合わせてもよい。すなわち、受信した衛星信号数が所定数に不足している場合に仮信号強度を設定した上で、さらに、第１、２閾値と比較して信号強度を補正して受信状態レベルを算出してもよい。
【００９８】
ＧＰＳアンテナ２３の配置位置は前記実施形態に限定されない。すなわち、秒針１２１は比較的細いため、仮にＧＰＳアンテナ２３と秒針１２１とが平面的に重なっていても、信号レベルが比較的高ければ、衛星信号を受信できる可能性も高いためである。但し、前記実施形態のほうが、より受信性能を向上できる点で有利である。
【００９９】
前記実施形態では、測位情報を表示していなかったが、ディスプレイを設けて表示してもよいし、専用の指針を設けて表示してもよい。例えば、ディスプレイ等の表示装置を設けて、測位情報（緯度・経度）を表示してもよい。
【０１００】
また、前記実施形態では、位置情報衛星の例としてＧＰＳ衛星について説明したが、本発明の位置情報衛星としては、ＧＰＳ衛星だけではなく、ガリレオ（ＥＵ）、ＧＬＯＮＡＳＳ（ロシア）、北斗（中国）などの他の全地球的航法衛星システム（ＧＮＳＳ）やＳＢＡＳなどの静止衛星や準天頂衛星などの時刻情報を含む衛星信号を発信する位置情報衛星でも良い。
【０１０１】
本発明の電子時計は、腕時計に限定されず、例えば、携帯電話、登山などに用いられる携帯型のＧＰＳ受信機など、二次電池で駆動されて位置情報衛星から送信される衛星信号を受信する装置に広く利用できる。
【０１０２】
本発明の電子時計は、腕時計１に限らず、懐中時計などの各種時計や、携帯電話機、デジタルカメラや各種携帯情報端末、ナビゲーションシステム等の電子時計機能を内蔵する機器に適用してもよい。なお、前記実施形態は、測位モードおよび測時モードを備えていたが、電子機器の適用対象によっては、いずれか一方のモードのみを備えるものでもよい。
【符号の説明】
【０１０３】
１…ＧＰＳ付き腕時計、１２…指針、１４…リューズ、１５，１６…ボタン、１７…外装ケース、２１…ムーブメント、２２…ソーラーセル、２３…ＧＰＳアンテナ、２４…二次電池、２５…回路基板、２７…アンテナ基板、３０…ＧＰＳ受信回路、４０…制御回路、４１…時刻情報生成部、４２…受信制御部、４３…自動受信設定部、４４…受信モード設定部、４５…時刻情報修正部、４６…発電量検出制御部、４７…受信状態レベル算出部、４８…受信状態レベル表示部、５０…記憶部、６０…時計部、７０…外部操作部、８０…発電量検出回路、１２１…秒針、１２２…分針、１２３…時針、４５１…測位情報修正手段、４５２…測時情報修正手段、５００…時刻データ記憶部、５５０…都市名−タイムゾーンデータ記憶部、５６０…内部時刻修正記録記憶部。
【図１】
0005817343.tif 000006
【図２】
0005817343.tif 000007
【図３】
0005817343.tif 000008
【図４】
0005817343.tif 000009
【図５】
0005817343.tif 000010
【図６】
0005817343.tif 000011